(57)【要約】【課題】  強風時における雨滴の浸入防止機能を確保しつつ、構成が簡素で施工性がよく、また、長期にわたって作動の円滑性を維持することの可能な換気装置を提供する。【解決手段】  壁部４に形成されて、屋内１ａと屋外１ｂとを連通する換気路５と、この換気路内にその長さ方向に移動可能に装填された軽量物からなる作動体６と、換気路の屋外側に設けられて、作動体の屋外への落下を防止する第１の端部材７と、換気路の屋内側に設けられて、作動体の屋内への落下を防止する第２の端部材８とを備え、各端部材には、屋内外間の空気の流れを許容する通気口７ａ・８ａが形成され、作動体が、換気路内を屋内側へ向けて流れ込む空気の流速が所定値以上となった際に、この空気によって屋内側へ移動させられて第２の端部材に形成された通気口を閉塞するようになされている。【選択図】      図３
2005083613.tif 000002
【特許請求の範囲】
【請求項１】
建物の屋内と屋外とを仕切る壁部に設置されて、前記屋内と屋外との間で換気を行う換気装置であって、前記壁部に形成されて、前記屋内と屋外とを連通する換気路と、この換気路内にその長さ方向に移動可能に装填された軽量物からなる作動体と、前記換気路の屋外側に設けられて、前記作動体の屋外への落下を防止する第１の端部材と、前記換気路の屋内側に設けられて、前記作動体の屋内への落下を防止する第２の端部材とを備え、前記各端部材には、前記屋内外間の空気の流れを許容する通気口が形成され、前記作動体が、前記換気路内を前記屋内側へ向けて流れ込む空気の流速が所定値以上となった際に、この空気によって前記屋内側へ移動させられて前記第２の端部材に形成された通気口を閉塞するようになされていることを特徴とする換気装置。
【請求項２】
前記換気路が、前記壁部に取り付けられる管体によって形成されていることを特徴とする請求項１に記載の換気装置。
【請求項３】
前記換気路が、その屋外側の内径よりも屋内側の内径が小さくなるようにテーパ状に形成されていることを特徴とする請求項１または請求項２に記載の換気装置。
【請求項４】
前記換気路が、その屋外側が屋内側よりも下方に位置するように形成されていることを特徴とする請求項１ないし請求項３の何れかに記載の換気装置。
【請求項５】
前記第２の端部材が、前記換気路を横切るようにして配設されるメッシュ材を備え、このメッシュ材の編み目によって前記通気口が形成されており、前記作動体が、前記メッシュ材の編み目より大きな外形を有する多数の粒状物によって構成されていることを特徴とする請求項１ないし請求項４の何れかに記載の換気装置。
【請求項６】
前記作動体が球形となされていることを特徴とする請求項５に記載の換気装置。
【請求項７】
前記第２の端部材が、前記換気路を閉塞するように設けられているとともに、中心部に前記通気口が形成され、この通気口の内周面形状が、前記屋内側へ向かって漸次小径となる円錐台形状に形成され、前記作動体が、前記換気路の内径よりも小さく、かつ、前記通気口の最小径部の内径よりも大きな外径を有する単一の球体によって構成されていることを特徴とする請求項１ないし請求項４の何れかに記載の換気装置。
【請求項８】
前記作動体が発泡スチロールによって形成されていることを特徴とする請求項１ないし請求項７の何れかに記載の換気装置。
【請求項９】
前記作動体が合成樹脂製薄肉中空体であることを特徴とする請求項１ないし請求項７の何れかに記載の換気装置。
【発明の詳細な説明】
【技術分野】
【０００１】
本発明は、換気装置に係わり、特に、建物の室内や屋根裏、天井、床下といった屋内の空間部の空気と外気との入れ換えを行なうようにした換気装置に関するものである。
【背景技術】
【０００２】
一般に、建物においては、その外壁や基礎に、室内や屋根裏や天井あるいは床下といった屋内の空間部と外部とを連通する換気路を設け、この換気路を通して屋内の空間部の空気と外気との入れ換えを行なうことにより、屋内の空間部内の温度や湿度の調整等を行うようにしている。
【０００３】
ところで、このような換気路を設けた場合、降雨時に雨滴が前記換気路を通して屋内に吹き込むことが考えられることから、前記換気路に、複数の遮蔽板をがらり（ルーバ）状に配設して、前述した雨滴の浸入を防止することが行われている。
【０００４】
すなわち、前述した各遮蔽板は、それぞれの面が前記換気路を遮るように、かつ、相互に間隔をおいて配設されて、前記換気路の一部を屈曲させるものである。
そして、空気とともに２相流体を形成する雨滴が前記遮蔽板の設置位置に到達すると、前記２相流体中の空気の流れ方向は各遮蔽板によって急激に変更させられるが、雨滴はその慣性によって直進して前記各遮蔽板に衝突させられて２相流体から分離されるとともに、各遮蔽板によって捕捉されて屋外に落下させられ、これによって、雨滴の屋内への浸入が抑制されるようになっている（たとえば、特許文献１参照）。
【０００５】
このような処置によって雨滴の浸入をある程度抑制することはできるものの、たとえば台風時等の風の強い気象状況下においては、前述したがらり状の遮蔽板だけでは雨滴の浸入を防止できない場合がある。
【０００６】
そこで、従来では、強風時における換気路からの雨滴の浸入を抑制するための対処案として、つぎのような技術が提案されている。
すなわち、前記換気路内に揺動自在な蓋体を設けておき、この蓋体が、換気路内の空気の流れが緩やかな状態においては、自重によって前記換気路を開放する位置に位置して空気の流れを許容し、換気路内の空気の流れが速くなった場合に、その流れによって揺動させられて換気路を閉塞することにより、雨滴の浸入を防止するようにした技術である（たとえば、特許文献２参照）。
【特許文献１】特許第３３５９８８６号公報
【特許文献２】実開平６−８５８０８号公報
【０００７】
ところで、前述したような揺動自在な蓋体を用いて換気路を閉鎖することにより、強風時の屋内への雨滴の浸入を防止するようにした従来の技術においても、なお、つぎのような改善すべき問題点が残されている。
【０００８】
すなわち、前述した従来の技術においては、蓋体を換気路に揺動自在に取り付けるための枢支機構が必要であるために構造が複雑になる。
この結果、組み立て作業の煩雑化やコストの高騰を招いてしまう。
また、蓋体を換気路内に揺動自在に取り付けるという構造上、前記蓋体のみならず枢支機構に水滴が付着することが避けられない。
そして、雨滴の付着に起因した錆の発生やゴミ等の付着により、前記枢支機構の回動動作、ひいては、前記蓋体の揺動動作に支障をきたすことが想定される。
【０００９】
さらに、風の弱い通常の換気状態において、前記蓋体は自重によって開放位置に保れる構成となっていることから、円滑な作動を確保するためには、蓋体を支持する枢支機構を蓋体の鉛直方向上方に位置させなければならない。
この結果、装置の取り付け方向に方向性が生じるため、施工性が悪いといった問題点もある。
【発明の開示】
【発明が解決しようとする課題】
【００１０】
本発明は、前述した従来の問題点に鑑みてなされたもので、強風時における雨滴の浸入防止機能を確保しつつ、構成が簡素で建物への設置時の施工性がよく、また、長期にわたって作動の円滑性を維持することが可能な換気装置を提供することを解決課題とする。
【課題を解決するための手段】
【００１１】
本発明の請求項１に記載の換気装置は、前述した課題を解決するために、建物の屋内と屋外とを仕切る壁部に設置されて、前記屋内と屋外との間で換気を行う換気装置であって、前記壁部に形成されて、前記屋内と屋外とを連通する換気路と、この換気路内にその長さ方向に移動可能に装填された軽量物からなる作動体と、前記換気路の屋外側に設けられて、前記作動体の屋外への落下を防止する第１の端部材と、前記換気路の屋内側に設けられて、前記作動体の屋内への落下を防止する第２の端部材とを備え、前記各端部材には、前記屋内外間の空気の流れを許容する通気口が形成され、前記作動体が、前記換気路内を前記屋内側へ向けて流れ込む空気の流速が所定値以上となった際に、この空気によって前記屋内側へ移動させられて前記第２の端部材に形成された通気口を閉塞するようになされていることを特徴とする。
本発明の請求項２に記載の換気装置は、請求項１に記載の前記換気路が、前記壁部に取り付けられる管体によって形成されていることを特徴とする。
本発明の請求項３に記載の換気装置は、請求項１または請求項２に記載の前記換気路が、その屋外側の内径よりも屋内側の内径が小さくなるようにテーパ状に形成されていることを特徴とする。
本発明の請求項４に記載の換気装置は、請求項１ないし請求項３の何れかに記載の前記換気路が、その屋外側が屋内側よりも下方に位置するように形成されていることを特徴とする。
本発明の請求項５に記載の換気装置は、請求項１ないし請求項４の何れかに記載の前記第２の端部材が、前記換気路を横切るようにして配設されるメッシュ材を備え、このメッシュ材の編み目によって前記通気口が形成されており、前記作動体が、前記メッシュ材の編み目より大きな外形を有する多数の粒状物によって構成されていることを特徴とする。
本発明の請求項６に記載の換気装置は、請求項５に記載の前記作動体が球形となされていることを特徴とする。
本発明の請求項７に記載の換気装置は、請求項１ないし請求項４の何れかに記載の前記第２の端部材が、前記換気路を閉塞するように設けられているとともに、中心部に前記通気口が形成され、この通気口の内周面形状が、前記屋内側へ向かって漸次小径となる円錐台形状に形成され、前記作動体が、前記換気路の内径よりも小さく、かつ、前記通気口の最小径部の内径よりも大きな外径を有する単一の球体によって構成されていることを特徴とする。
本発明の請求項８に記載の換気装置は、請求項１ないし請求項７の何れかに記載の前記作動体が発泡スチロールによって形成されていることを特徴とする。
本発明の請求項９に記載の換気装置は、請求項１ないし請求項７の何れかに記載の前記作動体が合成樹脂製薄肉中空体であることを特徴とする。
【発明の効果】
【００１２】
本発明の換気装置によれば、外部空気の流速が穏やかで、雨滴の浸入が殆どない場合にあっては、作動体を換気路の底部に位置させてこの換気路を開放することにより、屋内外の換気機能を確保することができる。
また、台風時等、外部空気の流速が激しく雨滴が浸入することが想定される状況に至った際には、換気装置内に流れ込む空気流によって作動体を屋内側へ向けて換気路の長さ方向に移動させるとともに、この作動体を、換気装置の屋内側に形成されている通気口に押し付けることにより、この通気口を閉塞して換気路を遮蔽し、これによって、雨滴が屋内に侵入することを抑制することができる。
作動体の支持機構を全くなくしてその構成を簡素化し、制作性を高めるとともにコストの低減を図ることができ、また、作動体の作動方向の制約をなくして、換気装置の設置時の施工性を容易なものとすることができる。
しかも、換気路の遮蔽や開放をなす前記作動片の動きに関連して、摺動部分や回動部分、あるいは、支持機構等の機械的な構成要素なくし、浸入する水滴に起因して発生する錆によって生じる作動障害を防止することができる。
したがって、長期にわたる安定した作動を確保することができる。
【発明を実施するための最良の形態】
【００１３】
以下、本発明の第１の実施形態について、図１ないし図８を参照して説明する。
図１および図２において符号１は、本実施形態が適用された建物で、図示例では鉄筋コンクリート構造物を示した。
これらの図において符号３で示す本実施形態に係わる換気装置は、前記建物１の床下を囲繞する布基礎２の立上部と、屋根裏を形成する壁（以下、これらを壁部と総称する）４に設置されている。
【００１４】
詳述すれば、本実施形態に係わる換気装置３は、前記建物１の壁部４に設置されて、図３に示すように、屋内１ａと屋外１ｂとの間で換気を行うようにしたもので、前記壁部４に形成されて、前記屋内１ａと屋外１ｂとを連通する換気路５と、この換気路５内にその長さ方向に移動可能に装填された軽量物からなる作動体６と、前記換気路５の屋外１ｂ側に設けられて、前記作動体６の屋外１ｂへの落下を防止する第１の端部材７と、前記換気路５の屋内１ａ側に設けられて、前記作動体６の屋内１ａへの落下を防止する第２の端部材８とを備え、前記各端部材７・８には、前記屋内外１ａ・１ｂ間の空気の流れを許容する通気口７ａ・８ａが形成され、前記作動体６が、前記換気路５内を前記屋内１ａ側へ向けて流れ込む空気の流速が所定値以上となった際に、この空気によって前記屋内１ａ側へ移動させられて前記第２の端部材８に形成された通気口８ａを閉塞するようになされた基本構成となっている。
【００１５】
ついで、これらの詳細について説明すれば、前記換気路５は、合成樹脂や金属あるいは木材等によって形成された管体９によって形成されており、この管体９が前記壁部４のコンクリート打設時に埋め込まれることによって、この壁部４に前記換気路５を形成するようになっている。
そして、本実施形態においては、前記管体９が均一な内径を有する直管となされているとともに、図３に示すように、前記壁部４に設置した状態において、その屋外１ｂ側が屋内１ａ側よりも下方に位置するように傾斜させられていることにより、前記換気路５も屋外１ｂ側が下方となるように傾斜させられている。
【００１６】
図３および図４に示すように、前記第１の端部材７および第２の端部材８は、それぞれ、前記管体９の端部内面に嵌入される環状の基部７ｂ・８ｂと、これらの基部７ｂ・８ｂの内部空間を閉塞するように設けられたメッシュ材７ｃ・８ｃとによって構成されている。
【００１７】
これらの第１の端部材７および第２の端部材８は、合成樹脂の射出成形によって形成されることにより、前記基部７ｂ・８ｂとメッシュ材７ｃ・８ｃとが一体化され、前記基部７ｂ・８ｂが、前記管体９のそれぞれの端部にたとえば圧入されることによってこの管体９に固定されるようになっている。
【００１８】
そして、前記第１の端部材７および第２の端部材８が管体９のそれぞれの端部に固定された状態において、前記各メッシュ材７ｃ・８ｃが前記換気路５を横切るように配設されることにより、これらのメッシュ材７ｃ・８ｃの編み目によって前記通気口７ａ・８ａが形成されるようになっている。
これらの通気口７ａ・８ａの個々の開口面積は、後述する作動体６の大きさとの関係で設定される。
【００１９】
前記作動体６は、本実施形態においては、前記メッシュ材７ｃ・８ｃの編み目、すなわち、前記通気口７ａ・８ａの内径より大きな外形を有する多数の粒状物によって構成されている。
そして、この作動体６は、前記換気路５内に流れ込む空気の流速が激しくなった際に、その空気流によって屋内１ａ側へ移動させられる程度の重さとする必要があることから、本実施形態における前記粒状物として、たとえば、球形の発泡スチロールが用いられる。
【００２０】
実験結果によれば、前記粒状物を球形の発泡スチロールによって形成した場合、その外径を４ｍｍ〜６ｍｍ程度に設定することにより、雨滴が換気路５内に浸入するような風速が生じた際に、前記作動体６が速やかに屋内１ａ側へ移動させられることが確認された。
また、粒状物である作動体６の装填量は、前記換気路５の口径等を考慮して、適宜実験的に設定される。
【００２１】
このように構成された本実施形態の換気装置３は、前記管体９の一端部（たとえば、屋外１ｂ側の端部）に第１の端部材７を挿入固定した後に、前記管体９内に他端部側から所定量の作動体６を装填し、しかる後に、管体９の他端部（屋内１ａ側の端部）に第２の端部材８を挿入固定することによって組み上げられる。
【００２２】
そして、組み上げられた換気装置３は、建物１の壁部４を構築するための型枠の所定位置に、屋外１ｂ側の端部が下方となるように傾斜させた状態で設置した後に、前記型枠内にコンクリートを打設して固化させることにより、前記壁部４の所定位置に設置される。
あるいは、建物１の壁部４に装着孔を予め形成しておき、この装着孔内に、組み上げられた換気装置３を挿入した後に、この換気装置３の管体９と壁部４との隙間に、接着剤やシール材等の充填材を注入して固定することにより設置される。
【００２３】
このようにして設置された換気装置３にあっては、風の穏やかな状態においては、管体９内に装填されている多数の作動体６が、図３および図６に示すように、その自重により前記管体９内の屋外１ｂ側に滞留する。
ここで、前記作動体６は、第１の端部材７のメッシュ材７ｃの面方向にも積層させられるが、前記メッシュ材７ｃがほぼ鉛直方向に沿っていることから、殆どの作動体６が、前記管体９の底部に沿って滞留し、前記メッシュ材７ｃに形成されている通気口７ａの殆どが開放状態に保持される。
【００２４】
この状態で、前記換気路５を通して換気が行われ、そのときの空気の流れが緩やかである場合、前記作動体６は、一部において換気路５の長さ方向への移動があるものの、その殆どが停止状態を保持する。
したがって、第１の端部材７および第２の端部材８の通気口７ａ・８ａがほぼ全開状態となされ、この結果、図３に矢印で示すように、屋内１ａと屋外１ｂとの換気が円滑に行われる。
【００２５】
一方、換気路５内の流速が増加し、雨滴が浸入するほどの激しい流れが屋内１ａ側へ向けて発生すると、図７に示すように、空気流により、管体９の底部に滞留している作動体６が、その上部側から順次吹き上げられるとともに、換気路５の屋内１ａ側へ押し込まれる。
【００２６】
このようにして、作動体６が順次換気路５の屋内１ａ側へ押し込まれると、この作動体６は、第２の端部材８のメッシュ材８ｃによって捕捉され、捕捉された作動体６によってメッシュ材８ｃの編み目、すなわち、通気口８ａが閉塞される。
ここで、閉塞されていない通気口８ａが存在すると、換気路５内の空気が、閉塞されていない通気口８ａへ流れ込むのに伴って、この通気口８ａへ向けて作動体６が移動させられ、これによって、前記第２の端部材８の通気口８ａの全てが閉塞される。
【００２７】
また、前記メッシュ材８ａによって捕捉された作動体６間に隙間がある場合、その隙間を通して屋内１ａ側への空気流が生じていることから、この空気流によって他の作動体６が、前述した作動体６間の隙間を覆う位置に押し込まれて、この隙間が閉塞される。
【００２８】
このようにして、換気路５内の空気流の流れが激しくなった場合には、図５および図８に示すように、作動体６によって屋内１ａ側の第２の端部材８における空気の流れが遮断され、この結果、流れ込む空気に含まれた雨滴が屋内１ａ側へ浸入することが抑制される。
【００２９】
さらに、風が緩やかになった際には、作動体６を第２の端部材８のメッシュ材８ｃへ押し付ける力が弱くなることから、前記作動体６がメッシュ材８ｃから自重によって離れて、図３および図６に示すように、管体９の底部に落下する。
この結果、このメッシュ材８ｃの通気口８ａが開放されて換気機能が回復する。
【００３０】
そして、前記作動体６は、自重によって換気位置に復帰させられるのであるが、これらの作動片６は空気の流れ以外には、その移動に関与するものがない。
したがって、換気装置３の設置姿勢に制約がなく、施工が容易である。
また、換気装置３が、管体９、両端部材７・８、および、作動片６の少ない部材で構成されており、さらに、前記作動片６は、組み付けに際し管体９内に装填するのみであり、かつ、複雑な支持機構等が不要であり、制作が容易であるとともに安価に製作することができる。
【００３１】
しかも、換気路５の遮蔽や開放をなす前記作動片６の動きに関連して、摺動部分や回動部分、あるいは、支持機構等の機械的な構成要素がないことから、浸入する水滴に起因して発生する錆による作動障害が生じることもなく、長期にわたって安定した作動が確保される。
この錆の問題は、換気装置３の構成部材の全てを合成樹脂によって形成することにより、全く考慮する必要もなくなる。
【００３２】
ついで、本発明の第２の実施形態について図９を参照して説明する。
図９において符号２０は、本実施形態に係わる換気装置を示す。
この換気装置２０は、前述した第１の実施形態における第２の端部材と作動体とに変更を加えたものである。
【００３３】
すなわち、本実施形態に係わる第２の端部材２１は、中心部に、前記換気路５と屋内１ａとを連通する通気口２１ａが形成され、この通気口２１ａの内周面形状が、前記屋内１ａ側へ向かって漸次小径となる円錐台形状に形成され、前記換気路５内に装填される作動体２２が、前記換気路５の内径よりも小さく、かつ、前記通気口２１ａの最小径部の内径よりも大きな外径を有する単一の球体によって構成されている。
【００３４】
詳述すれば、前記第２の端部材２１は、たとえば、合成樹脂の射出成形によって形成され、その中心部に形成される前記通気口２１ａは、その大径部の内径が、ほぼ、前記換気路５の内径と等しく形成されており、前記管体９に圧入等の固定手段によって取り付けられている。
【００３５】
前記作動体２２は、前記換気路５内に流れ込む空気の流れが遅い場合には、その自重により管体９の途中の内壁面底部に（図９に示すように、前記管体９が第１の実施形態と同様に屋外１ｂ側が下方となるように傾斜させられている場合には第１の端部材７近傍に）移動するようになっている。
【００３６】
そして、前記作動体２２は、軽量でなければならいという条件から、たとえば、第１実施形態と同様に発泡スチロールによって形成され、また、その外径と前記換気路５の内径との差は、前述したような管体９の底部に位置させられた状態において、管体９の内壁面との間に前記換気路５を確保できる範囲に設定される。
【００３７】
このような構成を有する本実施形態に係わる換気装置２０は、第１の実施形態と同様の手順で、図９に示すように、壁部４に設置される。
【００３８】
ついで、換気装置２０が傾斜して設置されている場合の作用について説明する。
屋外の風が弱く通常の換気機能を確保する状況下においては、換気装置２０内の作動体２２に作用する空気流の力が弱いため、この作動体２２は、第１の端部材７側で、管体９の下部に位置している。
この状態において、作動体２２と管体９の内壁面との間に空間が形成されて換気路５が確保されており、この換気路５を通して屋内１ａと屋外１ｂとの換気が行われる。
【００３９】
一方、屋外の風が強く、換気装置２０内に流れ込む空気の流れが速くなり、雨滴が浸入するような状況になると、流れ込む空気によって前記作動体２２が押されて第２の端部材２１側へ移動させられる。
この第２の端部材２１まで移動させられた作動体２２は、第２の端部材２１の通気口２１ａの傾斜面によってその中心部へ向けて案内されて、この通気口２１ａの内周面と円状に線接触させられることにより、この通気口２１ａを閉塞する。
これによって、前記換気路５が第２の端部材２１において遮蔽されるとともに、換気機能が停止され、この結果、換気装置２０内に流れ込む空気とともに流れ込む雨滴が屋内１ａへ浸入することが抑制される。
【００４０】
さらに、換気装置２０内に流れ込む空気の流れが緩やかになり雨滴の浸入のおそれがなくなった際には、作動体２２への押圧力も弱まることから、この作動体２２が、自重により、前記通気口２１ａの斜面と管体９の傾斜によって、第１の作動体７側へ案内されて、前述したような換気路５が確保されるとともに、換気機能が回復する。
【００４１】
このような構成とすることにより、前述した第１の実施形態とほぼ同様の作用効果を得ることができるが、本実施形態においては、単一の作動体２２を用いることにより、制作性が向上する。
【００４２】
なお、前記各実施形態において示した各構成部材の諸形状や寸法等は一例であって、設計要求等に基づき種々変更可能である。
【００４３】
たとえば、前記実施形態においては、換気路５を管体９を用いて形成した例について示したが、壁部４を構築する際に、この壁部４に適宜の方法で貫通孔を形成して換気路とするとともに、前記壁部４の内外面に、第１の端部材７や第２の端部材８・２１を装着するようにしてもよい。
【００４４】
前記作動体６の粒径や装填量、また、作動体２２の外径は、流れ込む空気流速の想定値や形成される換気路５の断面積等、他の条件との兼ね合いで適宜選択可能である。
そして、各作動体６・２２を軽量化のために、発泡スチロールを用いて形成した例について示したが、合成樹脂製の薄肉中空体を用いることも可能である。
【００４５】
また、換気装置３・２０の屋外１ｂ側を外部へ露出させた例について示したが、図１０ないし図１２に示すようなカバー２３を取り付けることも可能である。
このカバー２３は、略半球殻状に形成され、その側壁の一部に下方へ向けて開口された空気導入口２４が形成されたものである。
このようなカバー２４を装着することにより、換気装置３・２０に流れ込む空気の流れを、図１０に矢印で示すように屈曲させて、換気装置３・２０に雨滴が直接当たることを極力抑制し、雨滴の浸入を更に抑制することができる。
【００４６】
また、図１３に示すように、換気路５の内径を、屋内１ａ側に行くにしたがい、漸次小径となるようにテーパ形状とすることも可能である。
このような構成とすることにより、換気路５内の空気流の流速を徐々に高めて、作動体６・２２の移動速度を速めることにより、前記換気路５を遮蔽するのに要する時間を短縮することができる。
【００４７】
また、各端部材７・８・２１の基部を円筒状に形成した例について示したが、その外周面に、図１４に示すように、外方フランジ２５を係止しておき、各端部材７・８・２１を管体９や壁部４に形成される換気路５に装着する際に、前記外方フランジ２５を管体９や壁部４の端面や表面に当接させることによって、各端部材７・８・２１の取り付け時の位置決めを行わせるようにしてもよい。
【００４８】
さらに、図１５に示すように、換気装置３・２０の屋外１ｂ側の端部の下部に、換気路５と外部とを連通するドレン通路２６を形成してもよい。
このドレン通路２６を形成することによって、前記換気路５内に浸入した雨滴を外部へ排出することができる。
このようなドレン通路２６を形成することによって、換気装置３・２０の設置姿勢に制約が生じるが、施工性を悪くするほどの制約ではない。
【産業上の利用可能性】
【００４９】
本発明の換気装置３は、屋内外間での換気を必要とする建物全般に利用可能であり、かつ、その設置が、建物の施工時のみならず、施工後や既存の建物に対しても、壁部４に所定の大きさの貫通孔を形成して、この貫通孔内に挿入固定することにより容易に設置可能であり、産業上の利用可能性はきわめて大きい。
【図面の簡単な説明】
【００５０】
【図１】本発明の換気装置が設置された建物を示す正面図である。
【図２】本発明の換気装置が設置された建物を示す側面図である。
【図３】本発明の第１の実施形態を示す外観斜視図である。
【図４】本発明の第１の実施形態を示す分解斜視図である。
【図５】本発明の第１の実施形態の作用を説明するための外観斜視図である。
【図６】本発明の第１の実施形態の作用を説明するための縦断面図である。
【図７】本発明の第１の実施形態の作用を説明するための縦断面図である。
【図８】本発明の第１の実施形態の作用を説明するための縦断面図である。
【図９】本発明の第２の実施形態を示す外観斜視図である。
【図１０】本発明の変形例を示す外観斜視図である。
【図１１】図１０に示す変形例に用いられるカバーの側面図である。
【図１２】図１０に示す変形例に用いられるカバーの正面図である。
【図１３】本発明の他の変形例を示す縦断面図である。
【図１４】本発明の他の変形例を示す要部の分解斜視図である。
【図１５】本発明の他の変形例を示す要部の拡大縦断面図である。
【符号の説明】
【００５１】
１  建物
１ａ  屋内
１ｂ  屋外
２  布基礎
３  換気装置
４  壁部
５  換気路
６  作動体
７  第１の端部材
７ａ  通気口
７ｂ  基部
７ｃ  メッシュ材
８  第２の端部材
８ａ  通気口
８ｂ  基部
８ｃ  メッシュ材
９  管体
２０  換気装置
２１  第２の端部材
２１ａ  通気口
２２  作動体
２３  カバー
２４  空気導入口
２５  外方フランジ
２６  ドレン通路
【図１】
2005083613.tif 000003
【図２】
2005083613.tif 000004
【図３】
2005083613.tif 000005
【図４】
2005083613.tif 000006
【図５】
2005083613.tif 000007
【図６】
2005083613.tif 000008
【図７】
2005083613.tif 000009
【図８】
2005083613.tif 000010
【図９】
2005083613.tif 000011
【図１０】
2005083613.tif 000012
【図１１】
2005083613.tif 000013
【図１２】
2005083613.tif 000014
【図１３】
2005083613.tif 000015
【図１４】
2005083613.tif 000016
【図１５】
2005083613.tif 000017